(57)【要約】      （修正有）【課題】液晶表示装置が高温環境に露出する場合、熱による影響を最小化することができる液晶表示装置用保護フィルタを提供する。【解決手段】透明基材130と該透明基材上に交互に形成された金属化合物薄膜及び透明金属薄膜とからなる熱遮断膜を含む液晶表示装置用保護フィルタ120を提供する。液晶表示装置用保護フィルタ120は、透明基材130上に形成された反射防止フィルム150および飛散防止層１６０をさらに含む。【選択図】図１
2009122676.tif 000002
【特許請求の範囲】
【請求項１】
透明基材と該透明基材上に交互に形成された金属化合物薄膜及び透明金属薄膜からなる熱遮断膜とを含む、液晶表示装置用保護フィルタ。
【請求項２】
前記熱遮断膜上に形成されて、外部から入射する外部環境光の反射を低減させる反射防止（Ａｎｔｉ−Ｒｅｆｌｅｃｔｉｖｅ：ＡＲ）フィルムをさらに含む、請求項１に記載の液晶表示装置用保護フィルタ。
【請求項３】
前記熱遮断膜の金属化合物薄膜が、インジウムスズ酸化物（ＩＴＯ）、インジウム亜鉛酸化物（ＩＺＯ）、酸化亜鉛（ＺｎＯ）、アルミニウム（Ａｌ）がドーピングされた酸化亜鉛（ＡＺＯ）、酸化チタン（ＴｉＯ2）、カドミウムスズ酸化物（ＣＴＯ）、酸化アルミニウム（Ａｌ2Ｏ3）、酸化マグネシウム（ＭｇＯ）、酸化トリウム（ＴｈＯ2）、酸化スズ（ＳｎＯ2）、酸化ランタン（ＬａＯ2）、酸化珪素（ＳｉＯ2）、酸化インジウム（Ｉｎ2Ｏ3）、酸化ニオビウム（Ｎｂ2Ｏ5）、酸化アンチモン（Ｓｂ2Ｏ3）、酸化ジルコニウム（ＺｒＯ2）、酸化セリウム（ＣｅＯ2）、酸化ビスマス（ＢｉＯ2）、硫化亜鉛（ＺｎＳ）、硫化カドミウム（ＣｄＳ）または硫化アンチモン（Ｓｂ2Ｓ3）中から選択された１種以上を含むことを特徴とする、請求項１に記載の液晶表示装置用保護フィルタ。
【請求項４】
前記熱遮断膜の透明金属薄膜が、銀（Ａｇ）または銀合金（Ａｇ  ａｌｌｏｙ）を含むことを特徴とする、請求項１に記載の液晶表示装置用保護フィルタ。
【発明の詳細な説明】
【技術分野】
【０００１】
本発明は、液晶表示装置に具備される液晶表示装置用保護フィルタに関するものである。
【背景技術】
【０００２】
情報化技術が発達するにつれて使用者と情報間の連結媒体である表示装置の市場が拡大している。それにともなって液晶表示装置（Ｌｉｑｕｉｄ  Ｃｒｙｓｔａｌ  Ｄｉｓｐｌａｙ：ＬＣＤ）、有機電界発光表示装置（Ｏｒｇａｎｉｃ  Ｌｉｇｈｔ  Ｅｍｉｔｔｉｎｇ  Ｄｉｓｐｌａｙ：ＯＬＥＤ）及びプラズマディスプレイ装置などの平板表示装置（Ｆｌａｔ  Ｐａｎｅｌ  Ｄｉｓｐｌａｙ：ＦＰＤ）の使用が増加している。その中で、液晶表示装置は、小型化だけではなく大型化が可能であるという利点により脚光を浴びている。
【０００３】
背景技術による液晶表示装置は、個人用または事務用に使用されるデスクトップモニター用だけでなく、テレビ用にも使用されていて、その応用分野が徐々に拡がり、最近では公共用ディスプレイ（Ｐｕｂｌｉｃ  Ｄｉｓｐｌａｙ：ＰＤ）に使用されたりしている。
【０００４】
上記公共用ディスプレイに使用される液晶表示装置は、通常屋外に備え付けられるので、外部環境に直接的な影響を受ける。一例として、上記液晶表示装置が強く照り付ける太陽光による高温環境に直接露出する危険がある。万一、上記液晶表示装置が高温環境に長期間露出すると、上記液晶表示装置の寿命及び表示品質が低下することにある。
【０００５】
そのため、高温環境で液晶表示装置を保護するための提案が要望されている。
【発明の開示】
【発明が解決しようとする課題】
【０００６】
したがって、本発明が解決しようとする課題は、液晶表示装置が高温環境に露出する場合、熱による影響を最小化することができる液晶表示装置用保護フィルタを提供することである。
【０００７】
本発明が解決しようとするまた他の課題は、上述した課題に制限されず、言及しなかったまた他の課題は、下記の記載から本発明が属する技術分野で通常の知識を有する者に明確に理解されるだろう。
【課題を解決するための手段】
【０００８】
上記解決しようとする課題を達成するため、本発明の一実施例による液晶表示装置用保護フィルタは、透明基材と該透明基材上に交互に形成された金属化合物薄膜と透明金属薄膜からなる熱遮断膜とを含む。
【０００９】
その他実施例の具体的な事項は、詳細な説明及び図面に含まれている。本発明の利点及び特徴、さらにそれらを達成する方法は、添付図面と共に後述の実施例を詳細に参照すると、明確になるだろう。
【発明の効果】
【００１０】
本発明によると、液晶表示装置用保護フィルタの熱遮断膜を通じて高温環境下の熱から液晶表示装置を保護することができる。このような液晶表示装置用保護フィルタは、屋外に備え付けられる液晶表示装置に具備される場合、さらに有用に使用することができる。
【発明を実施するための最良の形態】
【００１１】
以下、添付した図面を参照して本発明の一実施例による液晶表示装置用保護フィルタに対して、詳しく説明する。明細書全体にかけて同一参照符号は、同一構成要素を指称する。
【００１２】
図１は、本発明の一実施例による液晶表示装置用保護フィルタを概略的に示した図である。
【００１３】
図１を参照すると、本発明の一実施例による液晶表示装置用保護フィルタ１２０は、透明基材１３０と該透明基材１３０上に形成された熱遮断膜１４０とを含む。また、本発明の一実施例による液晶表示装置用保護フィルタ１２０は、上記透明基材１３０上に形成された反射防止（Ａｎｔｉ−Ｒｅｆｌｅｃｔｉｖｅ：ＡＲ）フィルム１５０及び飛散防止層１６０をさらに含んでもよい。
【００１４】
透明基材１３０は、スクラッチが少なくて強度が良くて破壊に対する安定性を確保することができるガラスを含むことができるが、これに限らない。一例として、上記透明基材１３０は、上記ガラスの代りに透明性が良い高分子樹脂、例えば、ポリエチレンテレフタレート、ポリスルホン、ポリエーテルスルホン、ポリスチレン、ポリエチレンナフタレート、ポリアリレート、ポリエーテルケトン、ポリカーボネート、ポリプロピレン、ポリイミド、トリアセチルセルロース、ポリメチルメタクリレートからなる群の中から選択された１種以上を含むことができる。
【００１５】
熱遮断膜１４０は、外部から流入する熱（ｈ）を遮断することができる。上記熱遮断膜１４０に対して、図２を参照してより具体的に説明する。
【００１６】
図２は、図１に図示された熱遮断膜をより具体的に示した図である。
【００１７】
図２を参照すると、上記熱遮断膜１４０は、透明基材１３０上に交互に形成された金属化合物薄膜１４２及び透明金属薄膜１４４を含むことができる。ここで、金属化合物薄膜１４２及び透明金属薄膜１４４各々を積層する数は、上記液晶表示装置用保護フィルタ１２０を具備する液晶表示装置が備え付けられる場所の外部環境によって変えることができるので、特別に限定されない。
【００１８】
金属化合物薄膜１４２は、可視光線に対して透明性を有することができ、透明金属薄膜１４４との屈折率差を通じて透明金属薄膜１４４による可視光線反射を防止することができる。
【００１９】
上記金属化合物薄膜１４２は、例えば、５５０ｎｍの光に対する屈折率が１．４以上の高屈折率物質を含むことができる。
【００２０】
具体的に、金属化合物薄膜１４２は、インジウムスズ酸化物（ＩＴＯ）、インジウム亜鉛酸化物（ＩＺＯ）、酸化亜鉛（ＺｎＯ）、アルミニウム（Ａｌ）がドーピングされた酸化亜鉛（ＡＺＯ）、酸化チタン（ＴｉＯ2）、カドミウムスズ酸化物（ＣＴＯ）、酸化アルミニウム（Ａｌ2Ｏ3）、酸化マグネシウム（ＭｇＯ）、酸化トリウム（ＴｈＯ2）、酸化スズ（ＳｎＯ2）、酸化ランタン（ＬａＯ2）、酸化珪素（ＳｉＯ2）、酸化インジウム（Ｉｎ2Ｏ3）、酸化ニオビウム（Ｎｂ2Ｏ5）、酸化アンチモン（Ｓｂ2Ｏ3）、酸化ジルコニウム（ＺｒＯ2）、酸化セリウム（ＣｅＯ2）、酸化ビスマス（ＢｉＯ2）、などの金属酸化物；硫化亜鉛（ＺｎＳ）、硫化カドミウム（ＣｄＳ）または硫化アンチモン（Ｓｂ2Ｓ3）などの金属硫化物の中から選択された１種以上を含むことができる。その中で、インジウムスズ酸化物（ＩＴＯ）、酸化亜鉛（ＺｎＯ）、酸化チタン（ＴｉＯ2）が好ましい。これは、インジウムスズ酸化物（ＩＴＯ）及び酸化亜鉛（ＺｎＯ）が可視光線に対する屈折率が、２．０程度で高いだけでなく、可視光線をほとんど吸収しないからであり、酸化チタン（ＴｉＯ2）が絶縁性を有するだけでなく、可視光線に対する屈折率が２．３程度で大きいからである。
【００２１】
上記金属化合物薄膜１４２それぞれの厚さは、５ｎｍ〜１００ｎｍであることができ、例えば、４つまたは５つの層を含むことができる。上記の範囲内で上記金属化合物薄膜１４２それぞれの厚さが互いに同じかまたは異なることができるが、これに限らない。
【００２２】
透明金属薄膜１４４は、電気伝導性が非常に優秀なだけでなく、薄膜形成時に可視光線透過率が高くて熱（ｈ）遮断効果が大きい銀（Ａｇ）を含むことができる。しかし、銀（Ａｇ）は、化学的、物理的安定性が低く、外部環境などによって劣化し得るので、上記透明金属薄膜１４４は、銀（Ａｇ）の代りに銀合金（Ａｇ  ａｌｌｏｙ）を含むこともできる。上記銀合金は、例えば、銀（Ａｇ）に、金（Ａｕ）、白金（Ｐｔ）、パラジウム（Ｐｄ）、銅（Ｃｕ）、インジウム（Ｉｎ）、スズ（Ｓｎ）などの周囲環境に安定的な金属を１種以上含んだ合金を挙げることができる。一方、一般的に、銀（Ａｇ）に他の金属を添加すると、銀（Ａｇ）の導電性及び光学特性が阻害されるので、上記透明金属薄膜１４４中で少なくとも１つの薄膜は、銀（Ａｇ）のみを含むことができる。
【００２３】
上記透明金属薄膜１４４それぞれの厚さは、３ｎｍ〜３０ｎｍであることができ、例えば、４つの層を含むことができる。上記の範囲内で上記透明金属薄膜１４４それぞれの厚さや積層数は互いに同じか異なることができるが、これは金属化合物薄膜１４２の透過性及び電気伝導性を考慮して決定することができるので、上記に限定されない。
【００２４】
上記金属化合物薄膜１４２及び透明金属薄膜１４４は、スパッタリング（ｓｐｕｔｔｅｒｉｎｇ）、イオンプレーティング（ｉｏｎ  ｐｌａｔｉｎｇ）、真空蒸着（ｖａｃｕｕｍ  ｄｅｐｏｓｉｔｉｏｎ）及びメッキなどの方法の中でいずれか一つの方法を通じて形成することができる。
【００２５】
一例として、インジウムスズ酸化物を含む金属化合物薄膜１４２は、インジウムを主成分とする金属ターゲット（ｔａｒｇｅｔ）または酸化インジウムを主成分とする焼結体ターゲットを使用した反応性スパッタリング方法を使用して形成することができる。また、銀を含む透明金属薄膜１４４は、銀を含んだターゲットを使用したスパッタリング方法を使用して形成することができる。
【００２６】
前述のように、本発明の一実施例による液晶表示装置用保護フィルタ１２０は、上記熱遮断膜１４０を通じて外部から流入する熱（ｈ）を遮断することができる。そのために、上記液晶表示装置用保護フィルタ１２０を具備した液晶表示装置は、高温環境に長期間露出したとしても、液晶表示装置の寿命及び表示品質の低下を防ぐことができる。
【００２７】
また図１を参照すると、反射防止フィルム１５０は、熱遮断膜１４０上に形成され、外部から入射する外部環境光の反射を低減させることができ、反射防止フィルム用基材１５２及び反射防止膜１５４を含むことができる。
【００２８】
反射防止フィルム用基材１５２は、透明性が良い高分子樹脂、例えば、ポリエチレンテレフタレート、ポリスルホン、ポリエーテルスルホン、ポリスチレン、ポリエチレンナフタレート、ポリアリレート、ポリエーテルケトン、ポリカーボネート、ポリプロピレン、ポリイミド、トリアセチルセルロース、ポリメチルメタクリレートからなる群の中から選択された１種以上を含むことができる。
【００２９】
反射防止膜１５４としては、例えば、屈折率が他の金属酸化物、フッ化物、珪化物、硼化物、炭化物、チッ化物、硫化物などの無機化合物、またはシリコン系樹脂やアクリル樹脂、フッ素系樹脂などの有機化合物の薄膜が、２種以上積層されたものを使用することができる。一例として、反射防止膜１５４には、酸化珪素（ＳｉＯ2）のような低屈折率酸化膜及び酸化チタン（ＴｉＯ2）のような高屈折率酸化膜を相互に積層したものを使用してもよい。
【００３０】
しかし、上記反射防止膜１５４は、単一膜の形態に形成してもよい。一例として、上記反射防止膜１５４は、可視領域で屈折率が１．５以下、好ましくは、１．４以下のフッ素系透明高分子樹脂やフッ化マグネシウム、シリコン系樹脂や酸化珪素の薄膜などを、例えば、１／４波長の光学膜厚さによって単一膜の形態に形成されたものを使用してもよい。
【００３１】
飛散防止層１６０は、外部から加えられる衝撃によって透明基材１３０が壊れた場合、その破片が飛散することを防止する役割をする。しかし、上記飛散防止層１６０は、透明基材１３０の仕様及び上記液晶表示装置用保護フィルタ１２０を具備する液晶表示装置の仕様などによって具備されないこともある。
【００３２】
一方、図３は本発明の一実施例による液晶表示装置を概略的に示した図である。図３に図示された保護フィルタは、図１に図示された保護フィルタと同一なので、同一番号を使用して説明し、重複する説明は省略して、その特徴に対してのみ説明する。
【００３３】
図３を参照すると、本発明の一実施例による液晶表示装置２００は、公共用ディスプレイとして使用することができるが、それに限らない。上記液晶表示装置２００は、ハウジング２０２内に収納されている表示モジュール２１０及び保護フィルタ１２０を含む。
【００３４】
表示モジュール２１０は、図示されていない液晶層を含み、上記液晶層の電気光学特性を使用して画像を表示する。
【００３５】
保護フィルタ１２０は、表示モジュール２１０の前面に配置することができ、外部環境から表示モジュール２１０を保護することができる。特に、上記保護フィルタ１２０は、外部から流入する熱（ｈ）を遮断することができるので、上記液晶表示装置２００が高温環境に長期間露出する場合にも、上記液晶表示装置２００の寿命及び表示品質の低下を防ぐことができる。
【００３６】
以上、添付された図面を参照して本発明の実施例を説明したが、本発明が属する技術分野で通常の知識を有する者は、本発明がその技術的思想や必須的な特徴を変更しなくても、異なった具体的な形態で実施され得るということを理解することができるだろう。
【００３７】
したがって、以上で記述した実施例は、本発明が属する技術分野で通常の知識を有する者に発明の範疇を完全に知らせるために提供するものであって、すべての面で例示的であり限定的ではないと理解されなければならないし、本発明は請求項の範疇によってのみ定義される。
【図面の簡単な説明】
【００３８】
【図１】本発明の一実施例による液晶表示装置用保護フィルタを概略的に示した図である。
【図２】図１に図示された熱遮断膜をより具体的に示した図である。
【図３】本発明の一実施例による液晶表示装置を概略的に示した図である。
【符号の説明】
【００３９】
１２０：保護フィルタ
１３０：透明基材
１４０：熱遮断膜
１５０：反射防止フィルム
【図１】
2009122676.tif 000003
【図２】
2009122676.tif 000004
【図３】
2009122676.tif 000005